【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
複数のカム溝を有する第１の筒部材と、
直進溝を有する第２の筒部材と、
前記複数のカム溝のうち所定のカム溝及び前記直進溝に嵌合する第１のカムフォロアを有し、第１のレンズユニットを保持する第１のレンズ保持枠と、
前記複数のカム溝のうち所定のカム溝及び前記直進溝に嵌合する第２のカムフォロアを有し、第２のレンズユニットを保持する第２のレンズ保持枠と、
前記複数のカム溝のうち所定のカム溝及び前記直進溝に嵌合する第３のカムフォロアを有し、第３のレンズユニットを保持する第３のレンズ保持枠と、を備え、前記第１のレンズ保持枠と、前記第２のレンズ保持枠と、前記第３のレンズ保持枠とが、この順に配置されるレンズ装置であって、
一方の端が前記第１のレンズ保持枠に接続され、他方の端が前記第３のレンズ保持枠に接続された第１の付勢手段と、
一方の端が前記第２のレンズ保持枠に接続され、他方の端が前記第３のレンズ保持枠に接続された第２の付勢手段と、を備える、
ことを特徴とするレンズ装置。
【請求項２】
前記第３のレンズ保持枠には、前記第１のレンズ保持枠と前記第２のレンズ保持枠と前記第３のレンズ保持枠とを前記第１の筒部材あるいは前記第２の筒部材に挿入した状態において、前記第２のカムフォロアが装着される位置を調整可能な調整手段を前記第１の筒部材あるいは前記第２の筒部材の端側から前記第２のレンズ保持枠へ誘導可能な開口部が複数設けられている、
ことを特徴とする請求項１に記載のレンズ装置。
【請求項３】
前記複数の開口部は、光軸を中心とした互いに異なる位相に設けられた複数の切り欠き部である、
ことを特徴とする請求項２に記載のレンズ装置。
【請求項４】
前記複数のカム溝のうち所定のカム溝及び前記直進溝に嵌合する第４のカムフォロアを有し、第４のレンズユニットを保持する第４のレンズ保持枠を前記第１の筒部材あるいは  前記第２の筒部材の端と前記第１のレンズ保持枠との間に設けられている、
ことを特徴とする請求項１乃至３のいずれか１項に記載のレンズ装置。
【請求項５】
前記第１のレンズ保持枠と前記第２のレンズ保持枠と前記第３のレンズ保持枠とは、ズーミングに際して隣接する保持枠との間隔が変化するように移動する、
ことを特徴とする請求項１乃至４のいずれか一項に記載のレンズ装置。
【請求項６】
前記第１の付勢手段及び前記第２の付勢手段は弾性部材である、
ことを特徴とする請求項１乃至５のいずれか一項に記載のレンズ装置。
【請求項７】
前記第１の付勢手段及び前記第２の付勢手段は、連結された２つのレンズ保持枠を互いに近づける方向の弾性力を発生させる、
ことを特徴とする請求項６に記載のレンズ装置。
【請求項８】
光変調素子と、
請求項１乃至７のいずれか一項に記載のレンズ装置と、を備える、
ことを特徴とする光学装置。
【請求項９】
複数のカム溝を有する第１の筒部材と、
直進溝を有する第２の筒部材と、
前記複数のカム溝のうち所定のカム溝及び前記直進溝に嵌合する第１のカムフォロアを装着可能で、第１のレンズユニットを保持可能な第１のレンズ保持枠と、
前記複数のカム溝のうち所定のカム溝及び前記直進溝に嵌合する第２のカムフォロアを装着可能で、第２のレンズユニットを保持可能な第２のレンズ保持枠と、
前記複数のカム溝のうち所定のカム溝及び前記直進溝に嵌合する第３のカムフォロアを装着可能で、第３のレンズユニットを保持可能な第３のレンズ保持枠であって、複数の開口部を有する当該第３のレンズ保持枠と、を備え、前記第１のレンズ保持枠と、前記第２のレンズ保持枠と、前記第３のレンズ保持枠とが、この順に配置されるレンズ装置の製造方法であって、
前記第１のレンズ保持枠と前記第３のレンズ保持枠との間に第１の付勢手段を取り付けるステップと、
前記第２のレンズ保持枠と前記第３のレンズ保持枠との間に第２の付勢手段を取り付けるステップと、
前記第１のレンズ保持枠と前記第２のレンズ保持枠と前記第３のレンズ保持枠とを前記第１の筒部材はあるいは前記第２の筒部材に挿入するステップと、
前記第１のカムフォロアが前記複数のカム溝のうち所定のカム溝及び前記直進溝に嵌合するように前記第１のレンズ保持枠の位置及び角度のうち少なくとも一方を調整し、前記第１のカムフォロアを前記第１のレンズ保持枠に装着する第１の装着ステップと、
前記複数の開口部介して、前記第２のカムフォロアが前記複数のカム溝のうち所定のカム溝及び前記直進溝に嵌合するように前記第２のレンズ保持枠の位置及び角度のうち少なくとも一方を調整し、前記第２のカムフォロアを前記第２のレンズ保持枠に装着する第２の装着ステップと、
前記第３のカムフォロアが前記複数のカム溝のうち所定のカム溝及び前記直進溝に嵌合するように前記第３のレンズ保持枠の前記光軸方向の位置及び角度のうち少なくとも一方を調整し、前記第３のカムフォロアを前記第３のレンズ保持枠に装着する第３の装着ステップと、
を備える、
ことを特徴とするレンズ装置の製造方法。
【請求項１０】
前記第１の装着ステップ、前記第２の装着ステップ、前記第３の装着ステップのうち前記第２の装着ステップは最後に行われる、
ことを特徴とする請求項９に記載のレンズ装置の製造方法。
【請求項１１】
複数のカム溝を有する第１の筒部材と、
直進溝を有する第２の筒部材と、
前記複数のカム溝のうち所定のカム溝及び前記直進溝に嵌合する第１のカムフォロアを装着可能で、第１のレンズユニットを保持可能な第１のレンズ保持枠と、
前記複数のカム溝のうち所定のカム溝及び前記直進溝に嵌合する第２のカムフォロアを装着可能で、第２のレンズユニットを保持可能な第２のレンズ保持枠と、
前記複数のカム溝のうち所定のカム溝及び前記直進溝に嵌合する第３のカムフォロアを装着可能で、第３のレンズユニットを保持可能な第３のレンズ保持枠であって、複数の開口部を有する当該第３のレンズ保持枠と、を備え、前記第１のレンズ保持枠と、前記第２のレンズ保持枠と、前記第３のレンズ保持枠とが、この順に配置されるレンズ装置と、
光変調素子と、を備える光学装置の製造方法であって、
前記第１のレンズ保持枠と前記第３のレンズ保持枠との間に第１の付勢手段を取り付けるステップと、
前記第２のレンズ保持枠と前記第３のレンズ保持枠との間に第２の付勢手段を取り付けるステップと、
前記第１のレンズ保持枠と前記第２のレンズ保持枠と前記第３のレンズ保持枠とを前記第１の筒部材はあるいは前記第２の筒部材に挿入するステップと、
前記第１のカムフォロアが前記複数のカム溝のうち所定のカム溝及び前記直進溝に嵌合するように前記第１のレンズ保持枠の位置及び角度のうち少なくとも一方を調整し、前記第１のカムフォロアを前記第１のレンズ保持枠に装着する第１の装着ステップと、
前記開口部を介して、前記第２のカムフォロアが前記複数のカム溝のうち所定のカム溝及び前記直進溝に嵌合するように前記第２のレンズ保持枠の位置及び角度のうち少なくとも一方を調整し、前記第２のカムフォロアを前記第２のレンズ保持枠に装着する第２の装着ステップと、
前記第３のカムフォロアが前記複数のカム溝のうち所定のカム溝及び前記直進溝に嵌合するように前記第３のレンズ保持枠の前記光軸方向の位置及び角度のうち少なくとも一方を調整し、前記第３のカムフォロアを前記第３のレンズ保持枠に装着する第３の装着ステップと、
前記光変調素子を保持する保持部材に対して前記レンズ装置を取り付けるステップと、を備える、
ことを特徴とする光学装置の製造方法。
【手続補正２】
【補正対象書類名】明細書
【補正対象項目名】０００８
【補正方法】変更
【補正の内容】
【０００８】
上記課題を解決するために、本発明のレンズ装置は、
複数のカム溝を有する第１の筒部材と、
直進溝を有する第２の筒部材と、
前記複数のカム溝のうち所定のカム溝及び前記直進溝に嵌合する第１のカムフォロアを有し、第１のレンズユニットを保持する第１のレンズ保持枠と、
前記複数のカム溝のうち所定のカム溝及び前記直進溝に嵌合する第２のカムフォロアを有し、第２のレンズユニットを保持する第２のレンズ保持枠と、
前記複数のカム溝のうち所定のカム溝及び前記直進溝に嵌合する第３のカムフォロアを有し、第３のレンズユニットを保持する第３のレンズ保持枠と、を備え、前記第１のレンズ保持枠と、前記第２のレンズ保持枠と、前記第３のレンズ保持枠とが、この順に配置されるレンズ装置であって、
一方の端が前記第１のレンズ保持枠に接続され、他方の端が前記第３のレンズ保持枠に接続された第１の付勢手段と、
一方の端が前記第２のレンズ保持枠に接続され、他方の端が前記第３のレンズ保持枠に接続された第２の付勢手段と、を備える、
ことを特徴とする。